【手続補正書】
【提出日】平成17年8月22日(2005.8.22)
【手続補正１】
【補正対象書類名】特許請求の範囲
【補正対象項目名】全文
【補正方法】変更
【補正の内容】
【特許請求の範囲】
【請求項１】
鋼板製造設備の入側において、鋼板との接触線圧が３ｋｇ／ｍｍ以上のロールの前方及び／又は後方に設けた流体スプレーから前記ロールと接触する側の鋼板面に対して流体を噴射して異物を除去すると共に、前記流体スプレーの後方に配設された異物除去装置により鋼板面に付着している微小異物を除去することを特徴とする異物による品質欠陥の発生を防止できる鋼帯の製造方法。
【請求項２】
鋼板製造設備の入側において、ブライドルロール又はヘリカルターナの前方及び／又は後方に設けた流体スプレーから前記ブライドルロール又は前記ヘリカルターナと接触する側の鋼板面に対して流体を噴射して異物を吹き飛ばすと共に、前記流体スプレーの後方に配設された異物除去装置により鋼板面に付着している微小異物を除去することを特徴とする異物による品質欠陥の発生を防止できる鋼帯の製造方法。
【請求項３】
鋼板製造設備の入側において、鋼板との接触線圧が３ｋｇ／ｍｍ以上のロールの前方に設けた流体スプレーから前記ロールと接触する側の鋼板面に対して流体を噴射して異物を除去し、且つ前記ロールの後方に設けた流体スプレーから前記ロールと接触した側の鋼板面に対して流体を噴射して鋼板に圧着した箔状の異物を除去すると共に、前記ロールの後方に設けた前記流体スプレーの後方に配設された異物除去装置により鋼板面に付着している微小異物を除去することを特徴とする異物による品質欠陥の発生を防止できる鋼帯の製造方法。
【請求項４】
鋼板製造設備の入側において、ブライドルロール又はヘリカルターナの前方に設けた流体スプレーから前記ブライドルロール又は前記ヘリカルターナと接触する側の鋼板面に対して流体を噴射して異物を除去し、且つ前記ブライドルロール又は前記ヘリカルターナの後方に設けた流体スプレーから前記ブライドルロール又は前記ヘリカルターナと接触した側の鋼板面に対して流体を噴射して鋼板に圧着した箔状の異物を除去すると共に、前記ブライドルロール又は前記ヘリカルターナの後方に設けた前記流体スプレーの後方に配設された異物除去装置により鋼板面に付着している微小異物を除去することを特徴とする異物による品質欠陥の発生を防止できる鋼帯の製造方法。
【請求項５】
請求項１又は請求項３に記載の鋼板との接触線圧が３ｋｇ／ｍｍ２以上のロール、若しくは請求項２又は請求項４に記載のブライドルロール又はヘリカルターナに、鋼板との摩擦による静電気がロール表面に帯電しない材質を採用することを特徴とする請求項１乃至請求項４の何れかの項に記載の異物による品質欠陥の発生を防止できる鋼帯の製造方法。
【手続補正２】
【補正対象書類名】明細書
【補正対象項目名】発明の名称
【補正方法】変更
【補正の内容】
【発明の名称】異物による品質欠陥の発生を防止できる鋼帯の製造方法
【手続補正３】
【補正対象書類名】明細書
【補正対象項目名】０００１
【補正方法】変更
【補正の内容】
【０００１】
本発明は、鋼板面への異物の付着を防止し、また鋼板面に付着した異物を除去することで異物による品質欠陥の発生を防止できる鋼帯の製造方法に関し、より具体的は酸洗設備、冷間圧延設備、連続焼鈍設備、表面処理設備等の鋼板製造設備の入側で適用される鋼板面への異物の付着を防止し、また鋼板面に付着した異物を除去することで異物による品質欠陥の発生を防止できる鋼帯の製造方法に関するものである。
【手続補正４】
【補正対象書類名】明細書
【補正対象項目名】０００２
【補正方法】削除
【補正の内容】
【手続補正５】
【補正対象書類名】明細書
【補正対象項目名】００１０
【補正方法】変更
【補正の内容】
【００１０】
本発明は、このような問題点を解決するためになされたものであり、圧着された箔状異物や鉄以外の微小な異物が鋼板に付着することを防止し、また鋼板に付着した異物を除去することにより、鋼板面に付着した異物による押疵・圧延疵・スリ疵等の品質欠陥の発生を防止できる鋼帯の製造方法を提供することを目的とする。
【手続補正６】
【補正対象書類名】明細書
【補正対象項目名】００１２
【補正方法】変更
【補正の内容】
【００１２】
（１）鋼板製造設備の入側において、鋼板との接触線圧が３ｋｇ／ｍｍ以上のロールの前方及び／又は後方に設けた流体スプレーから前記ロールと接触する側の鋼板面に対して流体を噴射して異物を除去すると共に、前記流体スプレーの後方に配設された異物除去装置により鋼板面に付着している微小異物を除去することを特徴とする異物による品質欠陥の発生を防止できる鋼帯の製造方法。
【手続補正７】
【補正対象書類名】明細書
【補正対象項目名】００１３
【補正方法】変更
【補正の内容】
【００１３】
（２）鋼板製造設備の入側において、ブライドルロール又はヘリカルターナの前方及び／又は後方に設けた流体スプレーから前記ブライドルロール又は前記ヘリカルターナと接触する側の鋼板面に対して流体を噴射して異物を吹き飛ばすと共に、前記流体スプレーの後方に配設された異物除去装置により鋼板面に付着している微小異物を除去することを特徴とする異物による品質欠陥の発生を防止できる鋼帯の製造方法。
【手続補正８】
【補正対象書類名】明細書
【補正対象項目名】００１４
【補正方法】変更
【補正の内容】
【００１４】
（３）鋼板製造設備の入側において、鋼板との接触線圧が３ｋｇ／ｍｍ以上のロールの前方に設けた流体スプレーから前記ロールと接触する側の鋼板面に対して流体を噴射して異物を除去し、且つ前記ロールの後方に設けた流体スプレーから前記ロールと接触した側の鋼板面に対して流体を噴射して鋼板に圧着した箔状の異物を除去すると共に、前記ロールの後方に設けた前記流体スプレーの後方に配設された異物除去装置により鋼板面に付着している微小異物を除去することを特徴とする異物による品質欠陥の発生を防止できる鋼帯の製造方法。
【手続補正９】
【補正対象書類名】明細書
【補正対象項目名】００１５
【補正方法】変更
【補正の内容】
【００１５】
（４）鋼板製造設備の入側において、ブライドルロール又はヘリカルターナの前方に設けた流体スプレーから前記ブライドルロール又は前記ヘリカルターナと接触する側の鋼板面に対して流体を噴射して異物を除去し、且つ前記ブライドルロール又は前記ヘリカルターナの後方に設けた流体スプレーから前記ブライドルロール又は前記ヘリカルターナと接触した側の鋼板面に対して流体を噴射して鋼板に圧着した箔状の異物を除去すると共に、前記ブライドルロール又は前記ヘリカルターナの後方に設けた前記流体スプレーの後方に配設された異物除去装置により鋼板面に付着している微小異物を除去することを特徴とする鋼板面異物の付着防止及び除去方法。
（５）  （１）又は（３）に記載の鋼板との接触線圧が３ｋｇ／ｍｍ２以上のロール、若しくは（２）又は（４）に記載のブライドルロール又はヘリカルターナに、鋼板との摩擦による静電気がロール表面に帯電しない材質を採用することを特徴とする（１）乃至（４）の何れかに記載の異物による品質欠陥の発生を防止できる鋼帯の製造方法。
【手続補正１０】
【補正対象書類名】明細書
【補正対象項目名】００１８
【補正方法】変更
【補正の内容】
【００１８】
本発明では、酸洗設備、冷間圧延設備、連続焼鈍設備、表面処理設備等の鋼板製造設備の入側において、ブライドルロールや鋼板の進行方向を水平面内で転換するヘリカルターナ等のように、鋼板との接触線圧の高いロールの前部及び／又は後部に流体スプレーを備え、流体スプレーから高圧空気等の流体を前記ロールと接触する側の鋼板面に対して噴射して異物を吹き飛ばす。
【手続補正１１】
【補正対象書類名】明細書
【補正対象項目名】００２１
【補正方法】変更
【補正の内容】
【００２１】
なお、本発明において、鋼板との接触線圧とは、ロールに巻きかけられて走行する鋼板の張力（Ｔ）を鋼板幅（Ｂ）で除した値（Ｔ／Ｂ）であり、接触線圧が高いロールとは接触線圧が３ｋｇ／ｍｍ以上のものを対象にしている。
【手続補正１２】
【補正対象書類名】明細書
【補正対象項目名】００２７
【補正方法】変更
【補正の内容】
【００２７】
本発明により、圧着された箔状異物や鉄以外の微小な異物が鋼板に付着することを防止し、また鋼板に付着した微小な異物を確実に除去することが可能になる。その結果、鋼板面に付着した異物による押疵・圧延疵・スリ疵等の品質欠陥を防止でき、益々厳格化していく需要家の品質要求ニーズにこたえられるだけでなく、製品歩留りを向上し低コストで鋼板製造が可能になる。
【手続補正１３】
【補正対象書類名】明細書
【補正対象項目名】００２８
【補正方法】変更
【補正の内容】
【００２８】
本発明の一実施例の説明に参照する鋼板面異物の付着防止及び除去設備の要部を図１、また図１の設備のＡ−Ａ断面を図２に示す。以下、図１及び図２を用いて本発明の実施例について詳述する。
【手続補正１４】
【補正対象書類名】明細書
【補正対象項目名】００３５
【補正方法】変更
【補正の内容】
【００３５】
本実施例に係る鋼板面異物の付着防止及び除去設備並びに鋼板製造設備７の上方に防塵屋根８を備え、また防塵屋根８から前記両方の設備の間の側面を側壁９で覆っているので、建物上部からの落下異物が鋼板面に付着することを防止できる。
【手続補正１５】
【補正対象書類名】明細書
【補正対象項目名】００４０
【補正方法】変更
【補正の内容】
【００４０】
本発明は、鋼板面への異物の付着を防止し、また鋼板面に付着した異物を除去することで異物による品質欠陥の発生を防止できる鋼帯の製造方法として利用できる。より具体的は酸洗設備、冷間圧延設備、連続焼鈍設備、表面処理設備等の鋼板製造設備の入側に適用される鋼板面への異物の付着を防止し、また鋼板面に付着した異物を除去することで異物による品質欠陥の発生を防止できる鋼帯の製造方法として利用できる。
【手続補正１６】
【補正対象書類名】明細書
【補正対象項目名】００４１
【補正方法】変更
【補正の内容】
【００４１】
【図１】本発明の一実施例の説明に参照する鋼板面異物の付着防止及び除去設備の要部を示す図。
【図２】図１の設備のＡ−Ａ断面を示す図。